(57)【特許請求の範囲】
【請求項１】
遊技盤上には特図始動入賞口と、Ｖ入賞口を備えた役物と、前記役物とは異なる位置に配置された大入賞口とを具備し、
前記特図始動入賞口に遊技球が入賞した場合に所定時間作動を行う特別図柄表示装置と、
この特別図柄表示装置の特別図柄停止確定後、停止図柄に基づき所定時間開放される役物の開閉部材と、
この開閉部材の開放により役物内に入賞する遊技球が、規則性をもって回転動作することで前記Ｖ入賞口への入賞のし易さを周期的に変動させる回転体に受け渡され、この回転体を介して前記Ｖ入賞口に入ると、大入賞口が選択された回数開閉して大入賞口への入賞に基づく賞球を可能とする大当たり遊技を制御する遊技制御手段と、
上記特図始動入賞口に入賞し、前記特別図柄表示装置の作動に供される前の遊技球の記憶情報が存在する場合に、前記大当たり遊技の終了までの間に、当該大当たり遊技の終了後に実行される所定期間の通常遊技において、前記開閉部材が前記特別図柄表示装置の停止図柄に基づいて開放する時期に基づいて、前記回転体を、前記遊技球が前記Ｖ入賞口に入賞し易い回転動作となる原位置に位置決めした上で規則性をもって動作させるように制御する遊技球入賞時期制御手段と、
を備えたことを特徴とする遊技機。
【請求項２】
前記特別図柄表示装置が非作動中以外の状態の時に、遊技球が前記特図始動入賞口に入賞したときに、前記特別図柄表示装置の作動の権利の保留情報を所定の最大個数まで記憶することが可能となる特別図柄メモリ装置をさらに備えていることを特徴とする前記請求項１記載の遊技機。
【発明の詳細な説明】
【技術分野】
【０００１】
本発明は、遊技盤に設けられ、遊技球を前記遊技盤の遊技領域に対して隔離された特定領域内へ受け入れる受入口を備えた入賞装置、並びにこの入賞装置を備えた遊技機に関する。
【背景技術】
【０００２】
従来、遊技機、特にパチンコ機において、始動入賞口に遊技球が入賞すると、制御上、内部的に抽選が実行され、役物内に設けた画像表示装置（ＬＣＤ等）による図柄変動パターン演出によって抽選結果を報知し、当該抽選の当選が報知された場合には、通常遊技状態では常に閉止状態の特別入賞口（「アタッカー」と称する場合がある）を開放し、遊技者に有利な遊技状態（以下、「特別遊技状態」という）を付与することがなされている（以下、「内部抽選遊技仕様」という）。
【０００３】
また、一方で、役物中央部に羽根部材を設け、所定の条件が成立して羽根部材が開放することで、パチンコ球を役物内に受け入れ、当該受け入れたパチンコ球を、役物内に設けた入賞口に向けて案内し、入賞時には、上記と同様な特別遊技状態とすることがなされている（以下、「羽根物遊技仕様」という）。
【０００４】
ところで、前記内部抽選遊技仕様と羽根物遊技仕様との混合機としては、特許文献１等に開示されている。この特許文献１では、内部抽選遊技仕様の下で、数字図柄が同一数字（例えば、「７７７」）で揃うと、アタッカーＡを開放し、絵図柄が所定の配列（例えば、「ＡＢＣ」）で揃うと、アタッカーＢを開放し、その後Ｖ入賞で羽根物遊技が実行される構成となっている。
【０００５】
また、参考として、Ｖ入賞口を備えた役物と、Ｖ入賞を持たない大入賞口とを備えた遊技機が開示されている（特許文献２参照）
【先行技術文献】
【特許文献】
【０００６】
【特許文献１】特開２００５−６６９１公報
【特許文献２】特開２００４−１４１５５１公報
【発明の概要】
【発明が解決しようとする課題】
【０００７】
しかしながら、上記特許文献１や特許文献２では、いずれもＶ入賞に基づく大当たり遊技直後の遊技仕様は、通常遊技と基本的に変化がなく、大当たり遊技が終了してしまえば、単純に通常遊技に戻るだけの遊技仕様であるため、遊技が単調となる。
【０００８】
本発明は上記事実を考慮し、特に、大当たり遊技終了後の所定の期限内の遊技において、次の大当たりの発生条件を遊技者自身の技量により獲得し易くすることができる遊技機を得ることが目的である。
【課題を解決するための手段】
【０００９】
本発明は、遊技盤上には特図始動入賞口と、Ｖ入賞口を備えた役物と、前記役物とは異なる位置に配置された大入賞口とを具備し、前記特図始動入賞口に遊技球が入賞した場合に所定時間作動を行う特別図柄表示装置と、この特別図柄表示装置の特別図柄停止確定後、停止図柄に基づき所定時間開放される役物の開閉部材と、この開閉部材の開放により役物内に入賞する遊技球が、規則性をもって回転動作することで前記Ｖ入賞口への入賞のし易さを周期的に変動させる回転体に受け渡され、この回転体を介して前記Ｖ入賞口に入ると、大入賞口が選択された回数開閉して大入賞口への入賞に基づく賞球を可能とする大当たり遊技を制御する遊技制御手段と、上記特図始動入賞口に入賞し、前記特別図柄表示装置の作動に供される前の遊技球の記憶情報が存在する場合に、前記大当たり遊技の終了までの間に、当該大当たり遊技の終了後に実行される所定期間の通常遊技において、前記開閉部材が前記特別図柄表示装置の停止図柄に基づいて開放する時期に基づいて、前記回転体を、前記遊技球が前記Ｖ入賞口に入賞し易い回転動作となる原位置に位置決めした上で規則性をもって動作させるように制御する遊技球入賞時期制御手段と、を備えたことを特徴としている。
【００１０】
本発明によれば、特図始動入賞口に入賞し、特別図柄表示装置の作動に供される前の遊技球の記憶情報が存在する場合に、大当たり遊技の終了後、特別図柄表示装置の停止図柄に基づく役物の開閉部材の開放により、遊技球が役物内に入賞した場合に、当該遊技球をＶ入賞口に入賞し易く制御することにより、特に大当たり遊技終了後（例えば、終了直後）、又は大当たり遊技終了後所定回数（例えば、特別図柄変動装置の作動回数）の遊技において、次の大当たり発生条件を遊技者自身の技量により獲得しやすくすることができる。
【００１１】
さらに、前記特別図柄表示装置が非作動中以外の状態の時に、遊技球が前記特図始動入賞口に入賞したときに、前記特別図柄表示装置の作動の権利の保留情報を所定の最大個数、通常最大４つまで記憶することが可能となる特別図柄メモリ装置を備える構成とすることができる。
【００１２】
また、さらに、前記遊技球入賞時期制御手段として、前記役物内に入賞した遊技球を停留させるための停留装置を備え、この停留装置は特別図柄停止確定、若しくは役物の開閉部材の開放を契機として停留を開始し、一定時間後に停留を解除する構成とすることができる。
【００１３】
さらに、前記Ｖ入賞口が、前記役物内に設置された回転体に設けられた、前記大当たり遊技中において、前記回転体が予め決められた位置で停止し、大当たり遊技終了後、当該停止した位置から回転動作を開始し、遊技球入賞時期制御手段は、役物内に入った遊技球が回転体のＶ入賞口に入るように前記停留装置と回転体との作動を制御する構成とすることができる。
【発明の効果】
【００１４】
以上説明した如く本発明によれば、特に、大当たり遊技終了後の所定の期限内の遊技において、次の大当たりの発生条件を遊技者自身の技量により獲得し易くすることができるという優れた効果を有する。
【図面の簡単な説明】
【００１５】
【図１】本実施の形態に係るパチンコ機を示す正面図である。
【図２】本実施の形態に係るパチンコ機を示す斜視図である。
【図３】本実施の形態に係る遊技盤を示す正面図である。
【図４】本実施の形態に係るセンター役物の斜視図である。
【図５】本実施の形態に係るセンター役物の平面図である。
【図６】図５のＶＩ−ＶＩ線断面図である。
【図７】本実施の形態に係る遊技機の制御系のハード構成を示すブロック図である。
【図８】本実施の形態に係るセンター役物内の動作原理を示す正面図である。
【図９】本実施の形態に係る通常遊技の下での、センター役物内の動作タイミングチャートである。
【図１０】本実施の形態に係る通常遊技処理の流れを示す制御フローチャートである。
【図１１】本実施の形態に係る特別遊技処理の流れを示す制御フローチャートである。
【図１２】本実施の形態に係る特典遊技処理の流れを示す制御フローチャートである。
【図１３】本実施の形態に係る特典遊技の下での、センター役物内の動作タイミングチャートである。
【発明を実施するための最良の形態】
【００１６】
（パチンコ機の構成）
図１及び図２に示されるように、パチンコ機１０の前面下部には、化粧パネルとなる下飾り１２が取り付けられている。
【００１７】
また、パチンコ機１０の下飾り１２の上部には、ガラス板１４を装着したガラス枠１６が配置されており、ガラス枠１６は左側端部が軸支されて開閉可能に取り付けられている。このガラス枠１６の裏面側には、矩形状の開口部が設けられ、交換可能とされた遊技盤ユニット１８がセットされており、遊技盤ユニット１８は、ガラス枠１６を閉塞した状態でガラス板１４に対向するようになっている。
【００１８】
ガラス枠１６におけるガラス板１４の周囲には、遊技の進行に応じて点灯、消灯、及び点滅し照明による演出効果を生み出す照明演出用の表示灯２０が配置されており、上部には、遊技の効果音をステレオ出力するスピーカ２２Ｌ、２２Ｒが配設されている。
【００１９】
ガラス枠１６の下部には、一体皿２４が配置されている。この一体皿２４の右側下部には打球の発射力（飛距離）を調整するための発射ハンドル２６が取り付けられている。
【００２０】
（遊技盤の構成）
図３に示される遊技盤ユニット１８は、基板となるベニヤ板に樹脂製シート状のセルが貼着されてそのセルの表面が盤面となっており、盤面の外周端部付近に、円弧状の外レール１０２及び内レール１０４が取り付けられて遊技領域１９が形成されている。これらの外レール１０２及び内レール１０４によって囲まれた円形状の領域は、遊技者が発射ハンドル２６を調整することにより発射装置４０（図７参照）から発射されて戻り防止弁２１を通過して遊技領域１９に打ち込まれたパチンコ球ＰＢが、遊技領域１９内を後述する各種役物１０５，１１３，１１５，１０８，１１０等や複数の遊技釘１１７や風車（図示省略）と衝突し方向を変えながら自重落下により移動可能とされている。
【００２１】
遊技盤ユニット１８のほぼ中央には、役物（入賞装置）の１つであるセンター役物１０５が配置されている。
【００２２】
上記センター役物１０５では、後に詳述するように、その一部（本実施の形態では、図３の左上側端）の受入口２０５から開閉部材である羽根部材２０２の開放時にパチンコ球ＰＢを受入れ可能となっており、パチンコ球ＰＢが内部（役物内）に受け入れられることで、当該役物内においてパチンコ球ＰＢの流動に準じた演出を実行する。なお、羽根部材２０２は、図４に示される如く、遊技盤裏面側に設けられた羽根部材ソレノイド２０２Ａへの通電（励磁）、非通電（非励磁）によるアーム２０２Ｂの動作で開閉する構造となっている。
【００２３】
遊技盤ユニット１８の遊技領域におけるセンター役物１０５の左右は、パチンコ球ＰＢが当該センター役物１０５よりも下方に落下する通路となっており、本実施の形態では、センター役物１０５の図３の左側通路に前記役物１１３，１１５が設けられ、さらにその下方に、遊技釘１１７が、所謂「袴」状に配列された下端部に特別図柄始動入賞口１０８が設けられている。
【００２４】
前記役物１１３，１１５はそれぞれ入賞センサ１１３Ａ、１１５Ａ（図７参照）を備えており、入賞することでそれぞれ予め定められた数の賞球が実行される。なお、本実施の形態の役物１１３，１１５は入賞口構造としたが、通過するのみの役物（所謂「スルーチャッカー」）であってもよい。
【００２５】
また、前記特別図柄始動入賞口１０８へのパチンコ球ＰＢの入賞は、遊技盤裏面に設けられた始動入賞センサ１０８Ａにより検出する。
【００２６】
本実施の形態では、特別図柄始動入賞口１０８にパチンコ球ＰＢが入賞することで特別図柄抽選（特別図柄表示部１２０での約２．０秒程度の図柄変動）が行われる。
【００２７】
ここで、図柄変動中に、新たなパチンコ球ＰＢが特別図柄始動入賞口１０８へ入賞すると、その時点では抽選が実行できない。そこで、本実施の形態では、最大４個まで特別図柄始動入賞口１０８へのパチンコ球ＰＢの入賞を抽選有効入賞として保留し、現在の図柄変動を待ってから実行するようにしている。この保留数は、後述する主制御部１５０（図７参照）内のメモリに記憶されると共に、特別図柄表示部１２０の近傍（上部）に設けた４個の保留ランプ１２２Ａ〜１２２Ｄの点灯状態によって遊技者に報知される。
【００２８】
この特別図柄抽選に当選することにより、センター役物１０５の羽根部材２０２を所定時間（本実施の形態では、約０．５秒）開放するようにしている。
【００２９】
なお、本実施の形態では、特別図柄抽選は、ほぼ１００％当選する。言い換えれば、特別図柄始動入賞１０８への入賞が、羽根部材２０２の開放の条件ということができる。
【００３０】
また、特別図柄始動入賞口１０８の開口部に電動チューリップが配設してもよい。この場合、前記役物１１３又は１１５への入賞（又は通過）を契機にこの電動チューリップを開放する抽選（前述の抽選を特別図柄抽選に対し、この抽選は普通図柄抽選という）を行い、普通図柄抽選に基づいて、開閉状態（開閉回数、開閉間隔時間、開放連続時間等）を決定し、この決定に応じて制御する。
【００３１】
前記特別図柄始動入賞口１０８のさらに下部には大入賞口１１０が設けられ、その下部にアウト口１１５が設けられている。大入賞口１１０の開口には開閉扉１１２が設けられ、この開閉扉１１２は、大入賞口ソレノイド１１０Ａへの励磁、非励磁により開閉する。また、大入賞口１１０に入賞したパチンコ球ＰＢは大入賞センサ１１０Ｂによって検出される。
【００３２】
（センター役物１０５）
図４乃至図６には、本実施の形態に係るセンター役物１０５の概略構造が示されている。
【００３３】
センター役物１０５は、全体として、側壁部２０４によって周囲が覆われており、その内外とが完全に仕切られている。従って、遊技盤ユニット１８上の遊技領域１９内を自重落下して移動するパチンコ球ＰＢは、前述した羽根部材２０２の開放によって開口する受入口２０５以外から、センター役物１０５の内側の特定領域２００に入り込むことはない。
【００３４】
センター役物１０５の奥壁部１０４Ａの前側には、回転体２０６が配置されている。回転体２０６は、円板形状であり、遊技盤裏面側に配置された回転体モータ２０６Ｍの駆動力で、図５の時計回り方向に回転するようになっている。回転体２０６は、その周囲が円形のリブ２０７によって覆われている。
【００３５】
また、回転体２０６の周縁には、円周方向に均等に１２分割されて、１２個の収容溝２０６Ａが形成されている。収容溝２０６Ａは略Ｕ字型の溝形状であり、パチンコ球ＰＢを受け入れ可能とされ、その内の１個が他の１１個よりも深底構造となっている。この深底構造の収容溝２０６Ａが、Ｖゾーンとされている（以下必要に応じて、深底の収容溝２０６Ａを「Ｖゾーン２０６ＡＶ」、それ以外の１１個の収容溝２０６Ａを「外れゾーン２０６Ａ」という）。
【００３６】
回転体２０６の裏面側には、外れゾーンルート２０８と、Ｖゾーンルート２１０とが設けられている。
【００３７】
外れゾーンルート２０８には、外れゾーンセンサ２０８Ａが設けられ、Ｖゾーンルート２１０には、Ｖゾーンセンサ２１０Ａが設けられている。
【００３８】
外れゾーンルート２０８の一端は、外れゾーン２０６Ａに収容されているパチンコ球ＰＢが回収可能な外れ開口部が設けられている。この外れ開口部は、回転体２０６の２時の位置に設けられ、この２時の位置で外れゾーン２０６Ａに収容されているパチンコ球ＰＢが回収される。
【００３９】
一方、外れ開口部は、Ｖゾーン２０６ＡＶの底部とは相対位置がずれており、Ｖゾーン２０６ＡＶの底部に位置するパチンコ球ＰＢはこの外れ開口部に案内されることなく、回転が継続される。
【００４０】
一方、Ｖゾーンルート２１０の一端は、Ｖゾーン２０６ＡＶに収容されているパチンコ球ＰＢを回収可能な当たり開口部が設けられている。この当たり開口部は、回転体２０６の５時の位置に設けられ、この５時の位置でＶゾーン２０６ＡＶに収容されているパチンコ球ＰＢが回収される。
【００４１】
前記回転体２０６は、前記回転体モータ２０６Ｍの駆動力で、通常は３秒／１回転で等速回転されるようになっている。また、回転体２０６の裏面側には、突起部２０６Ｂが形成され、この突起部２０６Ｂの通過軌跡の何れかには非接触型の回転位置検出センサ２０６Ｓが配置されている。
【００４２】
回転位置検出センサ２０６Ｓは、投光部と受光部とが互いに所定の空間部をもって対向しており、この空間部が前記突起部２０６Ｂの通過軌跡となっている。これにより、回転位置検出センサ２０６Ｓでは、回転体２０６の１周毎に、投光部と受光部との間が突起部２０６Ｂによって遮られ、回転体２０６の位置を認識することができる。
【００４３】
ここで、所定の条件が成立した場合に、予め定められた原位置で停止するように制御される。この所定の条件成立時の原位置での停止制御については後述する。
【００４４】
なお、このセンター役物１０５の奥壁部１０４ＡにＬＣＤを嵌め込んで、映像による演出効果をもたらすようにしてもよい。
【００４５】
円形のリブ２０７を正面から見て左方向（９時の方向）には、切欠部２０７Ａが形成され、パチンコ球ＰＢが流動する樋部２１２の一端開口が対向している。
【００４６】
この樋部２１２は、前記一端開口側から左側の側壁部２０４に向けて左肩上がりの傾斜で延設され（傾斜樋部２１２Ａ)、当該側壁部２０４の手前で、上方向に略直角に屈曲された(垂直樋部２１２Ｂ）、略Ｌ字型の構造となっている。
【００４７】
上方向に延設された樋部２１２の他端は開口され、前記羽根部材２０２に対向している。羽根部材２０２は前記羽根部材ソレノイド２０２Ａへの通電（励磁）、非通電（非励磁）によって開閉動作がなされる。
【００４８】
羽根部材２０２の開放状態では、受入口２０５からパチンコ球ＰＢがセンター役物１０５内の樋部２１２に上端開口から受け入れ可能であり、その際、羽根部材２０２がガイド板の役目を果たすようになっている。
【００４９】
受入口２０５から樋部２１２に受け入れられたパチンコ球ＰＢは、樋部２１２に案内されながら流動して、前記回転体２０６の９時の方向へと到達する。
【００５０】
このとき、パチンコ球ＰＢが前記垂直樋部２１２Ｂを通過するとき、受入センサ２１２Ｓによって検出されるようになっている。この受入センサ２１２Ｓによりパチンコ球の入賞が検知されると、その入賞毎に所定数の賞球がなされる。
【００５１】
また、このパチンコ球ＰＢは前記傾斜桶部２１２Ａの終端へ到達するが、この到達直前位置には、停留弁２１４が配設されている。
【００５２】
停留弁２１４は、傾斜樋部２１２Ａに対して出没するように移動可能となっている。遊技盤裏面側には、停留弁ソレノイド２１４Ａが設けられている。この停留弁ソレノイド２１４Ａへの通電（励磁）、非通電（非励磁）により、停留弁２１４を傾斜樋部２１２Ａに配置する停留位置と、遊技盤裏面へ引き込ませる待避位置との何れかに位置決めするようになっている。
この到達時にパチンコ球ＰＢは、前記回転体２０６における９時の位置にある収容溝（外れゾーン２０６Ａ又はＶゾーン２０６ＡＶ）に入ることになる。言い換えれば、１／１２の確率で、パチンコ球ＰＢはＶゾーン２０６ＡＶへ入る可能性があるということができる。
【００５３】
（制御系の構成）
次に、図７を用いてパチンコ機１０の制御系について説明する。
【００５４】
図７に示されるように、本実施形態に係るパチンコ機１０の制御系は、主制御部１５０を中心として構成されている。主制御部１５０には、遊技に関する基本的なプログラムが記憶されており、この主制御部１５０からの命令信号に基づいて、各部の動作が制御されるようになっている。
【００５５】
主制御部１５０からは盤用外部端子１９０を介してホールコンピュータへ遊技の進行状態を示す情報（始動入賞信号や大当たり信号、図柄確定回数信号）が送信される。
【００５６】
さらに、主制御部１５０には、演出制御部１５２と、払出制御部１５４とがそれぞれ接続されており、これらの制御部は、主制御部１５０からのコマンド送信により制御される。
【００５７】
また、主制御部１５０には、役物１１３，１１５への入賞球を検出する入賞センサ１１３Ａ、１１５Ａ、特別図柄始動入賞口１０８への入賞球を検出する始動入賞センサ１０８Ａ、特別遊技状態の際に開放する大入賞口１１０への入賞球を検出する大入賞センサ１１０Ｂ、前記回転体２０６の回転位置を検出する回転位置センサ２０６Ｓ、外れゾーンセンサ２０８Ａ、Ｖゾーンセンサ２１０Ａがそれぞれ接続されており、これらの各センサは、入賞球の検出時にその検出信号を主制御部１５０へ出力する。なお、必要に応じて、大入賞口１１０内には、大当たり処理のラウンドを継続するきっかけとなる継続ゾーンが設けられている場合があり、このよう場合には、この継続ゾーンを通過したことを検出するセンサ（図示省略）が配設される。
【００５８】
さらに、主制御部１５０には、羽根部材２０２を開閉させる羽根部材ソレノイド２０２Ａ、大入賞口の１１０の開閉扉１１２を開放／閉塞させる大入賞口ソレノイド１１０Ａ、回転体２０６を回転させるための回転体モータ２０６Ｍ、停留弁２１４を出没させるための停留弁ソレノイド２１４Ａがそれぞれ接続されている。
【００５９】
ここで、遊技球ＰＢが特別図柄始動入賞口１０８に入賞し、これを始動入賞センサ１０８Ａで検出すると、特別図柄抽選が主制御部１５０にて実行され、この特別図柄抽選は、特図変動表示部１２０を用いて報知する。
【００６０】
特別図柄抽選が当選の場合は、開閉部材２０２が所定時間（本実施の形態では、約０．５秒）開放されるようになっている。この開閉部材２０２の開放により、パチンコ球ＰＢがセンター役物１０５内へ導入される可能性があり、最終的に前記Ｖゾーン２０６ＡＶへ入ることで、大当たりとなり、制御部１５０では、通常遊技状態から特別遊技状態へ遊技状態を移行させる。
【００６１】
特別遊技状態とは、前記大入賞口１１０の開閉扉１１４が所定時間（一般には３０秒）開放し、その後閉止する動作を１ラウンドとした場合に、複数回のラウンド（一般には１５〜１６ラウンド）繰り返される遊技状態を言い、この結果、多くのパチンコ球ＰＢが大入賞口１１２へ入賞し、多くの入賞が期待できる。なお、通常は、１ラウンド中の最大入賞数が１０個と制限されている。
【００６２】
演出制御部１５２には、ガラス枠１６に設けられた表示灯２０の点灯、消灯、及び点滅を制御し、さらに、ガラス枠１６前面に設けられたスピーカ２２Ｌ、２２Ｒを作動させて効果音等の出力を制御する。
【００６３】
また、演出制御部１５２には、保留ランプ１２２Ａ〜１２２Ｄが取付けられた保留ランプユニット１２２が接続され、主制御部１５０のメモリに記憶された保留数に基づいて、保留ランプユニット１２２に設けられた各保留ランプ１２２〜１２２Ｄの点灯、消灯を制御する。
【００６４】
また、払出制御部１５４には、払出装置１６０及び発射制御部１６４が接続され、発射制御部１６４には発射装置４０が接続されている。この払出制御部１５４は、パチンコ機１０内に設けられた払出装置１６０を作動させて、賞球又は貸し球の払い出し及び停止動作と払出数を制御する。また、発射制御部１６４は、遊技者による発射ハンドル２６（図１参照）の操作により発射装置４０を作動させて、遊技球ＰＢの発射開始、及び、発射ハンドル３９の操作量に応じた発射力を制御する。
【００６５】
さらに、払出制御部１５４では、枠用外部端子１９１を介して払出情報をホールに設置されたホールコンピュータへ送信するようになっている。
【００６６】
ここで、本実施の形態では、所定条件として保留メモリが少なくとも１つ存在することを条件として、上記で説明した特別遊技が終了して通常遊技に以降するまでに、以下に示す特典前処理を実行し、特別遊技の終了直後からこの特典前処理に基づく遊技仕様を実行する。なお、この特典前処理に基づく遊技仕様の位置付けとしては、通常遊技や特別遊技とは別の「特典遊技」と認識してもよいし、特別遊技の延長、或いは通常遊技の一部として認識してもよい。なお、以下では、特典前処理に基づく遊技仕様による遊技を「特典遊技」とする。
【００６７】
（特典前処理に基づく遊技仕様）
主制御部１５０のメモリに、特別図柄始動入賞口１０８へ抽選の権利を持つ入賞があり保留となっている情報がある、あるいは発生した場合に、大当たりによる特別遊技制御中に、回転体２０６を予め定めた原位置まで回転させる。この原位置は、Ｖゾーン２０６ＡＶが所定の時間後に樋部２１２と対向する９時の位置に到達する位置であり、本実施の形態では、Ｖゾーン２０６ＡＶが３時の位置にあるときを原位置としている。
【００６８】
すなわち、回転体２０６が回転を再開すると、Ｖゾーン２０６ＡＶが４．５秒後に９時の位置に到達するように制御される（回転体２０６が１周半する（５４０°回転する））。
【００６９】
４．５秒後にＶゾーン２０６ＡＶを９時の位置とする設定は、以下に基づく。
【００７０】
（１）  特別図柄始動入賞口１０８に入賞した後の特別図柄抽選（変動）時間（２．０秒）
（２）  当選確定までのインタバル（０．６秒）
（３）  開閉部材２０２の開放（開閉時間は、約０．５秒）時に突出位置へ移動されていた停留弁２１４が待避位置へ移動されるまでの時間（１．９秒）
これらを加算すると、２．０＋０．６＋１．９＝４．５秒となり、特別遊技終了直後に保留分の抽選が開始され、開閉部材２０２が開放して、センター役物１０５の樋部２１２に流入するパチンコ球ＰＢは、停留弁２１４で堰き止められ、約４．５秒に回転体２０６へ到達する。なお、停留弁２１４と回転体までの距離を流動するパチンコ球ＰＢの流動時間（α）を考慮し、このα分を変動時間（２．０秒）から差し引くことが好ましい（２．０−α）。結果として、４．５秒−αとなるが、このα分は誤差の範囲として処理してもよいし、このα時間分で回転する角度を予め考慮して、回転体２０６の原位置の角度を補正してもよい（補正値＝１２０(deg/sec)×α(sec)）。
【００７１】
上記前処理に基づく遊技仕様を実行すると、羽根部材２０２の開放中にパチンコ球ＰＢがセンター役物１０５内の樋部２１２に流入すれば、特別遊技終了直後に再度Ｖ入賞し易くなる（所謂「連チャン」）ため、遊技者に対して趣向性を向上させることになる。
【００７２】
以下に本実施の形態の作用を説明する。
【００７３】
（パチンコ機１０の遊技の流れ（通常時））
センター役物１０５内の回転体２０６は、３秒周期で一定方向（時計回り方向）に回転し続けている。
【００７４】
なお、この回転体２０６の回転周期は必ずしも上記実施の形態のように一定周期かつ一定方向である必要はなく、遊技状態に応じて回転周期や回転方向の内いずれか、あるいは、回転周期及び回転方向のいずれも変化させる仕様であってもよい。遊技状態に応じて回転周期や回転方向を変化させることにより、より変化に富んだ遊技仕様を持つ遊技機を提供することができる。
【００７５】
また、停留弁２１４は常時、待避位置とされており、樋部２１２を流動するパチンコ球ＰＢを妨げるものはない。このため、羽根部材２０２の開放時に受入口２０５から受け入れたパチンコ球ＰＢがこの受入口２０５から回転体２０６に到達するまで（樋部２１２を流動する）時間は、約１．０秒となる（図８参照）。
【００７６】
この状態で、遊技者が発射ハンドル２６を操作すると、一球づつ発射装置によって上方へ発射される。発射されたパチンコ球ＰＢは、外レール１０２に沿って遊技盤ユニット１８の遊技領域１９に打ち込まれ、センター役物１０５の上面や、遊技釘１１７、風車等に当たり、方向を変えながら遊技領域内を自重により落下する。そして、入賞せずに遊技領域の下端部に至ったパチンコ球ＰＢはアウト口１１２からパチンコ機１０内に回収される。
【００７７】
図１０のフローチャートに従い、通常遊技手順を説明する。
【００７８】
ステップ３００で、停留弁２１４を待避位置に配置しておいた状態で遊技が進行され、パチンコ球ＰＢが遊技領域内に設けた特別始動入賞口１０８に入賞すると（ステップ３０２の肯定判定）、ステップ３０４へ移行して特別図柄抽選処理が実行され（約２．０秒間の特別図柄変動表示の実行）、この特別図柄抽選に当選すると（ステップ３０６で肯定判定）、羽根部材２０２が所定時間（約０．５秒間）開放する（ステップ３０８）。
【００７９】
なお、本実施の形態では、特別図柄抽選の羽根部材２０２を所定時間開放する権利を得る確率はほぼ１００％であるため、ステップ３０６は不要であるが、例えば、これを小当たり当選とし、大入賞口１１０を所定回数、所定時間開放する大当たり当選、完全な外れである落選を所定の率で含ませてもよい。抽選の際に取得する乱数（０〜６５０００の数値を繰り返す乱数カウンタ）で言えば、約０〜６５０００までの数値の内、「０」が大当たり、「６５０００」が落選、それ以外が小当たりとすることも可能であるのでステップ３０４を鎖線で示した。
【００８０】
（センター役物１０５内のパチンコ球の流動）
図８及び図９に従い、通常遊技状態におけるセンター役物１０５内のパチンコ球の流れを説明する。
【００８１】
羽根部材２０２が開放されているときパチンコ球ＰＢがセンター役物１０５内に受け入れられると、まず、受入センサ２１２Ｓ（図４参照）でこれを検出し、受け入れとしての賞球を受け、その後、樋部２１２に案内されて、パチンコ球ＰＢは回転体２０６の９時の方向へ流動する。
【００８２】
このパチンコ球ＰＢが回転体２０６に到達したとき、パチンコ球ＰＢは、回転体２０６に設けられた１２個の内の何れかの収容溝２０６Ａに収容される。
【００８３】
ここで、特別図柄始動入賞口１０８（図３参照）へのパチンコ球ＰＢの入賞を起点として時間を計測すると、図９に示される如く、特別図柄（特図）変動時間の２．０秒、その後の待機時間（０．６秒）、並びに羽根部材２０２の開放の間（約０．５秒）にパチンコ球ＰＢが樋部２１２を流動する時間が１．０秒である。羽根部材２０２が開放した直後から閉止する直前まではパチンコ球ＰＢは受け入れられる可能性がある。
【００８４】
結果として、特別図柄始動入賞口１０８に入賞時点から３．６秒〜４．１秒の間に回転体２０６のＶゾーン２０６ＡＶが図８の９時の方向（樋部２１２の傾斜樋部２１２Ａの右端に対向する位置）にあれば、パチンコ球ＰＢは回転体２０６のＶゾーン２０６ＡＶに導入される可能性があるということができる。
【００８５】
回転体２０６の収容溝２０６Ａは、１個のＶゾーン２０６ＡＶと１１個の外れの収容溝２０６Ａから構成されており、外れの収容溝２０６Ａに収容されたパチンコ球ＰＢは（図１０のステップ３１０の否定判定）、外れゾーンルート２０８を通って（外れゾーンルート２０８を通過したことを外れゾーンセンサ２０８Ａで検出）、パチンコ機１０に回収される。
【００８６】
一方、Ｖゾーン２０６ＡＶに収容（入賞）したパチンコ球ＰＢは（図１０のステップ３１０の肯定判定）、Ｖゾーンルート２１０を通って（Ｖゾーンルート２１０を通過したことをＶゾーンセンサ２１０Ａで検出）、パチンコ機１０に回収される。
【００８７】
Ｖゾーンセンサ２１０Ａによりパチンコ球ＰＢを検出すると、大当たりとなり、特別遊技を実行する（図１０のステップ３１２）。
【００８８】
（特別遊技）
特別遊技では、大入賞口１１０の開閉扉１１４が所定時間（一般には３０秒）開放し、その間に所定個数のパチンコ球ＰＢが大入賞口１１０に入賞することにより閉止する動作を１ラウンドとした場合に、複数回のラウンド（一般には１５〜１６ラウンド）繰り返される。この結果、多くのパチンコ球ＰＢが大入賞口１１２へ入賞し、多くの入賞とその入賞に伴う賞球の払出しが期待できる。なお、通常は、１ラウンド中の最大入賞数は９個及び１０個に制限されている。
【００８９】
（特別遊技終了後の特典遊技）
一般的に、前記特別遊技状態が終了すると、通常遊技に戻るが、本実施の形態では、所定の条件を課して、この所定の条件が成立している場合に特典前処理を施し、この特典前処理に基づく遊技仕様を実行する（特典遊技）。
【００９０】
所定の条件とは、本実施の形態では、保留メモリが０以外の場合を言う。特別遊技中において、特別図柄始動入賞口１０８へ入賞する確率は非常に高く、結果として、特別遊技終了後は、ほぼ１００％条件成立となり得る。
【００９１】
従って、この所定条件を基本的に存在しなくてもよいが、特典前処理に基づく遊技仕様を通常遊技仕様に準じるようにするためには、保留メモリがあることを所定の条件とした方がよい。
【００９２】
以下、図１１のフローチャートに従い、前述した特別遊技中に実行される特典前処理、並びにこの特典前処理に基づく遊技仕様の実行手順を説明する。
【００９３】
まず、ステップ３５２で回転体２０６を原位置へ移動させ停止させると共に、ステップ３５４で停留弁を傾斜樋部２１２Ａのパチンコ球ＰＢの流動領域に配置（突出位置）し、これを維持した状態でステップ３５６の処理により回転体２０６の回転を停止させる。
【００９４】
なお、ステップ３５２からステップ３５６までの処理は、この特別遊技の終了直後に行われる特典遊技のための準備であるため、必ずしもこの特別遊技開始直後に行われる必要はなく、後述するように、例えば保留球が発生した時点等、この特別遊技中のいずれかの時点、または、特別遊技終了後の特典遊技開始までの間のいずれかの段階で行われ、特定遊技に対処できればよい。
【００９５】
また、ステップ３５６における回転体２０６の回転中止の処理も必ずしもこの特別遊技開始直後に実行される必要はなく、上記いずれかの段階で上述のステップ３５２はステップ３５４の処理が行われて特典遊技のための準備ができるまで、回転体２０６は特別遊技中回転し続けている仕様であってもよい。
【００９６】
次のステップ３５８では、特別遊技のラウンドカウント数Ｒをリセット（０）し、次いでステップ３６０で、このラウンドカウント数をインクリメントし、次いでステップ３６２で大入賞口１１０へのパチンコ球ＰＢの入賞カウント数Ｃをリセット（０）して、ステップ３６４へ移行する。ステップ３６４では、タイマＴをリセット（０）してステップ３６６へ移行する。
【００９７】
ステップ３６８、３７０、３７２、３７４では、大入賞口１１０の開閉扉１１４を開放し、この大入賞口１１０に入賞する毎に、入賞カウント数Ｃをインクリメントし、この入賞カウント数Ｃが１０になるか、あるいはタイマＴが３０秒になった時点で、ステップ３７６へ移行する。
【００９８】
ステップ３７６では、一旦，大入賞口１１０の開閉扉１１４を閉じ、ステップ３７８へ移行して、ラウンドカウント数Ｒが１６ラウンドか否かを判断し、否定判定されると、ステップ３６２へ戻り上記工程を繰り返す。
【００９９】
また、ステップ３７８で肯定判定されると、特別遊技は終了したと判断し、ステップ３８０へ移行する。
【０１００】
ステップ３８０では、再度、回転体２０６を原位置へ移動させ停止させて原点位置が維持されていることを確認し、次いでステップ３８４で停留弁を傾斜樋部２１２Ａのパチンコ球ＰＢの流動領域に配置（突出位置）し、これを維持しておく。
【０１０１】
このように、特別遊技の開始直後と、特別遊技の終了直前に回転体の原位置を調整することで、回転体２０６や停留弁２１４における特典遊技開始時の原位置の確保を早期に確実に行うことができる。
【０１０２】
なお、上記回転体２０６の原位置調整は、特別遊技終了時点において保留球が存在する場合に、当該特別遊技の終了直後、次の遊技の開始と共に保留球消化に伴う羽根部材２０２の開放に合わせて遊技者が狙いをつけて受入口２０５からパチンコ球ＰＢを入賞させることによりＶ入賞を狙い易くするという目的のためであり、この目的が達成できる限り、原位置調整は、必ずしもこの特別遊技の開始直後に行われる必要はなく、例えば、保留球が発生した時点等、この特別遊技中のいずれかの時点、または、特別遊技終了後の特典遊技開始までの間のいずれかの段階で行われ、特典遊技に対処できればよい。また、原位置調整も必ずしも２回行われる必要はなく、少なくとも特典遊技開始までに１回行われればよい。
【０１０３】
前記回転体２０６の原位置は、Ｖゾーン２０６ＡＶが所定の時間（以下に詳述）後に樋部２１２の傾斜樋部２１２Ａの右端開口と対向する９時の位置に到達する位置であり、本実施の形態では、回転体２０６が回転を再開したときにＶゾーン２０６ＡＶが４．５秒後に９時の位置に到達するように、３時の位置を原位置とした（回転体２０６が１周半する（５４０°回転する）。
【０１０４】
４．５秒後にＶゾーン２０６ＡＶを９時の位置とする設定は、以下に基づく。
【０１０５】
（１）  特別図柄始動入賞口１０８に入賞した後の特別図柄抽選（変動）時間（２．０秒）
（２）  当選確定までのインタバル（０．６秒）
（３）  開閉部材２０２の開放（開閉時間は、約０．５秒）時に突出位置へ移動されていた停留弁２１４が待避位置へ移動されるまでの時間（１．９秒）
これらを加算すると、２．０＋０．６＋１．９＝４．５秒となる。
【０１０６】
なお、上記図１１のフローチャートにおいて、ステップ３５２，３５４，３５６並びにステップ３８０，３８２，３８４を特別遊技の制御フローの一部としたが、特別遊技中に別ルーチンで常に保留の有無を判断し、回転体２０６を原位置へ移動したり、停留弁２１４を突出位置へ移動させるようにしてもよい。
【０１０７】
以下、図１２のフローチャート及び図１３のタイミングチャート及びに基づいて、特典遊技の手順を説明する。
【０１０８】
特別遊技が終了すると、まず、ステップ４００で回転体２０６の回転を再開する。
【０１０９】
次に、ステップ４０２へ移行して、保留分の抽選処理を開始し、ステップ４０４で抽選の結果が当選と判断されると、ステップ４０６へ移行して開閉部材２０２を所定時間（０．５秒）開放させる。これにより、パチンコ球ＰＢがセンター役物１０５の樋部２１２に流入する可能性がある。なお、ステップ４０４の当選判断は、当選が１００％以外のときのみ必要となる（前述）。流入したパチンコ球ＰＢは、停留弁２１４で堰き止められる。
【０１１０】
次のステップ４０８にでは、停留弁２１４の移動時期（羽根部材２０２の開放から１．９秒）か否かが判断され、肯定判定されると、ステップ４１０へ移行して、停留弁２１４を待避位置へ移動させる。
【０１１１】
この停留弁２１４が待避位置に移動すると、堰き止められていたパチンコ球ＰＢが回転体２０６へと移動し、結果として特別図柄始動入賞から約４．５秒（４．５−α）に回転体２０６へ到達する（αは、停留弁２１４から回転体２０６までの距離を流動するパチンコ球ＰＢの流動時間である）。
【０１１２】
図１３に示される如く、始動入賞時の回転体２０６のＶゾーン２０６ＡＶの位置を３時にしておく、パチンコ球ＰＢは４．５秒後に回転体２０６に当接する。この回転は、１周半に相当するため、回転体２０６のＶゾーン２０６ＡＶを３時の方向としておけば、ちょうど４．５秒後にＶゾーン２０６ＡＶを９時の方向とすることができる。
【０１１３】
上記特典前処理に基づく遊技仕様を実行すると、羽根部材２０２の開放中にパチンコ球ＰＢがセンター役物１０５内の樋部２１２に流入すれば、特別遊技終了直後に再度Ｖ入賞し易くなる（所謂「連チャン」）ため、遊技者に対して趣向性を向上させることになる。
【０１１４】
ステップ４１２では、Ｖゾーンセンサ２１０Ａでパチンコ球ＰＢを検出したか否かが判断され、肯定判定されると、大当たりとなり、特別遊技を実行する（ステップ４１４）。
【０１１５】
以上説明したように、本実施の形態では、特典遊技として、特別図柄始動入賞口１０８へのパチンコ球ＰＢの入賞時期、羽根部材２０２の開放時間、樋部２１２でのパチンコ球ＰＢの流動時間、停留弁２１４による停留時間等を考慮した原位置に回転体２０６を配置して遊技を進行させることで、大当たり処理である特別遊技終了直後の通常遊技において、Ｖゾーンへ入賞し易いようにした。これにより、遊技者に対して有利となり得る、所謂「連チャン」遊技を提供することができる。
【実施例】
【０１１６】
（通常遊技における実施例１）
本実施の形態は、通常遊技において、特別図柄始動入賞口１０８へパチンコ球ＰＢが入賞したとき、回転体２０６のＶゾーン２０６ＡＶが何れの位置にあるかわからないのが前提であるため、遊技者は特別図柄始動入賞口１０８へのパチンコ球ＰＢの入賞時期に一喜一憂するという遊技性が主体である。
【０１１７】
これに対して、図９に示される如く、図柄変動時間、待機時間、羽根部材２０２の開放時間等が固定されていると、熟練するにつれて、回転体２０６のＶゾーン２０６ＡＶが何れの位置にあるときに特別図柄始動入賞口１０８にパチンコ球ＰＢが入賞すればよいかの目安がつく。図９の☆印が示すように、回転体２０６のＶゾーン２０６ＡＶがほぼ５時〜７時にあるときに始動入賞があると、流入したパチンコ球ＰＢが回転体２０６に到達するとき、ちょうどＶゾーン２０６ＡＶが９時の位置になることがわかる。
【０１１８】
このようなタイミングを発射ハンドル２６の操作によって楽しむようにしてもよい。
【０１１９】
（通常遊技における実施例２）
通常遊技中は、図柄変動時間をランダムとする。
【０１２０】
本実施の形態では、特別図柄始動入賞後、図柄変動表示装置１２０において２．０秒という固定された時間としているが、例えば、センター役物１０５内の奥壁部１０４ＡにＬＣＤを設置して、特別図柄にリンクさせた演出図柄を用いて、様々な映像を駆使した図柄変動パターン演出を実行することで、本来の目的である図柄変動時間のランダム化と共に、視覚を通じた演出を実現することができる。
【０１２１】
この場合、大当たり処理（特別遊技）直後の通常遊技で特典遊技を実行する場合、図柄変動時間は固定である必要があるため、例えば、特別遊技終了直後の数回の遊技に対して、時短という新たな特典を設定し、この時短中は図柄変動時間を固定とするようにすればよい（実施例２−１）。
【０１２２】
また、保留がある場合は図柄変動時間を固定させるようにしてもよい（実施例２−２）。或いは、ランダムな図柄変動時間にリンクさせて、逆算により、回転体２０６の原位置を調整するようにしてもよい（実施例２−３）。
【符号の説明】
【０１２３】
ＰＢ    パチンコ球
１０    パチンコ機
１８    遊技盤ユニット
１９    遊技領域
２６    発射ハンドル
４０    発射装置
１０４Ａ    奥壁部
１０５    センター役物
１０８    特別図柄始動入賞口
１０８Ａ    始動入賞センサ
１１０    大入賞口
１１０Ａ    大入賞口ソレノイド
１１０Ｂ    大入賞センサ
１１５    アウト口
１１３，１１５    役物
１１３Ａ、１１５Ａ    入賞センサ
１２０    特別図柄表示部
１２２    保留ランプユニット
１５０    主制御部
１２２Ａ〜１２２Ｄ    保留ランプ
１５０    主制御部
２０２    羽根部材
２０２Ａ    羽根部材ソレノイド
２０２Ｂ    アーム
２０４    側壁部
２０５    受入口
２０６    回転体
２０６ＡＶ    Ｖゾーン（収容溝）
２０６Ａ    外れゾーン（収容溝）
２０６Ｓ    回転位置センサ
２０６Ｍ    回転体モータ
２０７    リブ
２０８    外れゾーンルート
２０８Ａ    外れゾーンセンサ
２１０    Ｖゾーンルート
２１０Ａ    Ｖゾーンセンサ
２１２    樋部
２１２Ａ    傾斜樋部
２１２Ｂ    垂直樋部
２１２Ｓ    受入センサ
２１４    停留弁
２１４Ａ    停留弁ソレノイド
【図１】
0005613586.tif 000002
【図２】
0005613586.tif 000003
【図３】
0005613586.tif 000004
【図４】
0005613586.tif 000005
【図５】
0005613586.tif 000006
【図６】
0005613586.tif 000007
【図７】
0005613586.tif 000008
【図８】
0005613586.tif 000009
【図９】
0005613586.tif 000010
【図１０】
0005613586.tif 000011
【図１１】
0005613586.tif 000012
【図１２】
0005613586.tif 000013
【図１３】
0005613586.tif 000014